(57)【特許請求の範囲】
【請求項１】
撮像手段その他の電気回路部品を収容するために設けられ、前記撮像手段が設けれる領域に開口部を有する子器本体ケースと、
前記開口部に設けられるカバー体とを備え、
前記子器本体ケースの開口部は、前記子器本体ケースの正面から上側面の領域に設けられ、
前記カバー体は、上側面部と正面部とを備え、断面視した場合、屈曲形状をしており、前記子器本体ケースの開口部に取り付けた際に、前記子器本体ケースの上側面の領域にも、カバー体が形成されるようにされており、且つ、
前記カバー体は、その裏面に、前記カバー体を前記子器本体ケースに取り付けた際に、前記子器本体ケースの開口部を囲う位置に、且つ、前記カバー体の上側面部、上側面部から正面部をまたぐ位置且つ正面部に設けられた、枠形状のリブを有し、
前記子器本体ケースの開口部の周辺には、前記カバー体の裏面に設けられている枠形状のリブを受けるリブ受けが設けられ、
前記カバー体の裏面に設けられた枠形状のリブの上面の接合面と、前記子器本体ケースの開口部の周辺に設けられている枠形状のリブ受けの接合面とが、一方向に、当接可能な関係にされており、且つ、
前記カバー体の裏面に設けられた枠形状のリブの上面の接合面と、前記子器本体ケースの開口部の周辺に設けられている枠形状のリブ受けの接合面とが溶着されている、カメラ付ドアホン子器用筐体。
【請求項２】
前記カバー体の裏面に設けられた枠形状のリブの上面の接合面を、ある平面上に位置するように形成し、
前記子器本体ケースの開口部の周辺に設けられるリブ受けの接合面を、前記カバー体の裏面に設けられた枠形状のリブの上面の接合面が位置している、ある平面と等価な方向の平面上に位置するように形成している、請求項１に記載のカメラ付ドアホン子器用筐体。
【請求項３】
前記カバー体の裏面に設けられた枠形状のリブの接合面を、ある曲面上に位置するように形成し、
前記子器本体ケースの開口部の周辺に設けられる枠形状のリブの接合面と対向する接合面を有する枠形状のリブ受けは、前記カバー体の裏面に設けられた枠形状のリブの接合面が位置している、ある曲面に対応する曲面上に位置するように形成している、請求項１に記載のカメラ付ドアホン子器用筐体。
【請求項４】
前記カバー体の裏面に設けられた枠形状のリブの接合面と、前記子器本体ケースの開口部の周辺に設けられている枠形状のリブ受けの接合面とが超音波溶着されている、請求項１〜３のいずれかに記載のカメラ付ドアホン子器用筐体。
【請求項５】
請求項１〜４のいずれかに記載のカメラ付ドアホン子器用筐体と、
前記カメラ付ドアホン子器用筐体に内蔵される撮像手段とを備え、
前記カメラ付ドアホン子器用筐体に内蔵される撮像手段は、前記カバー体の正面部から上側面部にかけて、その視野領域を調節できるようにされている、カメラ付きドアホン子器。
【請求項６】
前記カバー体が、前記子器本体ケースの正面からその上側面に移行するコーナ部の内表面側に、前記撮像手段が撮像する映像に線模様が形成されるのを防止するための緩やかな曲面を備える、請求項５に記載のカメラ付ドアホン子器。
【請求項７】
前記カメラ付ドアホン子器用筐体内に、前記撮像手段の近傍に、発光素子を備え、且つ、
前記カバー体は、
前記発光素子が外部から見えないようにするためのスモーク部と、
可視光透過部とを備え、
前記スモーク部は、その中央に開口部を有する枠体形状をしており、
前記可視光透過部が、前記枠体形状のスモーク部を覆うように、且つ、前記枠体形状のスモーク部の開口部を塞ぐように、前記スモーク部に、一体形成されている、請求項５又は請求項６に記載のカメラ付ドアホン子器。
【請求項８】
請求項５〜７のいずれかに記載のカメラ付ドアホン子器と、
前記カメラ付ドアホン子器の撮像手段が撮像した映像を表示するモニターテレビをを備えるインターホン親機とを備える、テレビ付きインターホンシステム。
【発明の詳細な説明】
【０００１】
【発明の属する技術分野】
本発明は、カメラ付ドアホン子器用筐体、カメラ付ドアホン子器及びテレビ付きインターホンシステムに関し、特に、カメラ付ドアホン子器用筐体内に設けられる撮像手段が、広範囲の映像を撮像できるとともに、防水性にも優れたカメラ付ドアホン子器用筐体、そのようなカメラ付ドアホン子器用筐体を用いたカメラ付ドアホン子器、及び、そのようなカメラ付ドアホン子器を備える、テレビ付きインターホンシステムに関する。
【０００２】
【従来の技術】
図１６は、従来のテレビ付きインターホンシステムにおいて採用されているドアホン子器を概略的に示す図であり、図１６（ａ）は、その斜視図を、また、図１６（ｂ）は、その分解斜視図である。
【０００３】
このドアホン子器１０１は、住戸の扉の近傍に取り付けられるものであり、撮像手段、スピーカ、集音マイクその他の電気回路部品を収容する子器本体ケース１０２を備える。
【０００４】
子器本体ケース１０２は、一般に、熱可塑性プラスチックで製されている。
【０００５】
尚、１０３で示す部材は、子器本体ケース１０２内に収容されている撮像手段を示している。
【０００６】
子器本体ケース１０２は、撮像手段１０２が設けられる領域に開口部ｈ１０２を有する。
【０００７】
この開口部ｈ１０２は、子器本体ケース１０２の正面Ｓ１０２ａに設けられている。
【０００８】
この開口部ｈ１０２には、カバー体１０４が、撮像手段１０３を覆うように設けられている。
【０００９】
カバー体１０４は、一般に、熱可塑性プラスチックで製されている。
【００１０】
尚、図１６（ａ）及び図１６（ｂ）の各々中、１０５で示す部材装置は、呼出しボタンを、また、１０６は、スピーカを、各々、示している。
【００１１】
次に、カバー体１０４の子器本体ケース１０２への取付け方法について説明する。
【００１２】
カバー体１０４は、子器本体ケース１０２に、超音波溶着法によって取り付けられている。
【００１３】
即ち、子器本体ケース１０２へカバー体１０４を取り付ける際には、一般に、カバー体１０４の裏面Ｓ１０４ｂを、子器本体ケース１０２の開口部ｈ１０２の周辺に設けられている鍔部（四角枠）ｆに当接し、この状態を維持したまま、所定時間、超音波振動を与える。
【００１４】
子器本体ケース１０２とカバー体１０４に、超音波振動を与えると、子器本体ケース１０２及びカバー体１０４の各々が振動し、振動摩擦によって、カバー体１０４の裏面Ｓ１０４ｂと子器本体ケース１０２の鍔部（四角枠）ｆとの当接部が発熱し、溶着する。これにより、子器本体ケース１０２とカバー体１０４とは、隙間無く溶着されるため、子器本体ケース１０２とカバー体１０４との溶着部から水が内部に入ることが無い。
【００１５】
次に、このドアホン子器１０１の動作について説明する。
【００１６】
このドアホン子器１０１では、訪問客が、呼出しボタン１０５を押し操作すると、住戸内に設けられているインターホン親機（図示せず。）の呼出装置が鳴動するとともに、撮像手段１０３がオンとなり、住戸内に設けられるインターホン親機（図示せず。）のモニターテレビ（図示せず。）に、撮像手段１０３が撮像した映像が映し出されるようになっている。
【００１７】
また、住戸人が、インターホン親機（図示せず。）の通話ボタン（図示せず。）を押し操作した後、インターホン親機（図示せず。）に向かって、訪問客に応答すると、その音声が、インターホン親機（図示せず。）に設けられている、集音マイク（図示せず。）に拾われ、この集音マイク（図示せず。）に拾われた音声が、ドアホン子器１０１に設けられているスピーカ１０６から出力されるようになっている。
【００１８】
また、訪問客が、来訪の旨を告げると、ドアホン子器１０１に設けられている、集音マイク（図示せず。）が、この音声を拾い、この集音マイク（図示せず。）に拾われた音声が、インターホン親機（図示せず。）のスピーカ（図示せず。）から出力されるようになっている。
【００１９】
また、住戸人が、住戸の扉付近の様子を知りたいときには、インターホン親機（図示せず。）に設けられているモニターボタン（図示せず。）を押し操作すると、所定時間、ドアホン子器１０１に設けられている撮像手段１０３及びインターホン親機（図示せず。）に設けられているモニターテレビ（図示せず。）の各々が通電状態になり、撮像手段１０３が撮像した映像が、モニターテレビ（図示せず。）に、所定時間、映し出されるようになっている。
【００２０】
また、インターホン親機（図示せず。）がハンズフリーの場合には、住戸人が、インターホン親機（図示せず。）に設けられている通話ボタン（図示せず。）を押し操作した後、インターホン親機（図示せず。）に向かって、訪問客に対して応答すると、その音声が、インターホン親機（図示せず。）に設けられている、集音マイク（図示せず。）によって拾われ、この集音マイク（図示せず。）に拾われた音声が、ドアホン子器１０１に設けられているスピーカ１０６から出力されるようになっている。
【００２１】
また、インターホン親機（図示せず。）がハンドセット（図示せず。）を有する場合には、住戸人が、ハンドセット（図示せず。）を取り上げ、ハンドセット（図示せず。）に向かって、訪問客に対して応答すると、その音声が、ハンドセット（図示せず。）の送話器（図示せず。）によって拾われ、この送話器（図示せず。）に拾われた音声が、ドアホン子器１０１に設けられているスピーカ１０６から出力されるようになっている。
【００２２】
【発明が解決しようとする課題】
ところで、図１６に示す、従来のドアホン子器１０１では、ドアホン子器１０１に内蔵される撮像手段の視野が、子器本体ケース１０２の正面Ｓ１０２ａ方向に限られる。このため、例えば、来訪者が、背が高い人である場合には、来訪者の顔が、子器本体ケース１０２の正面前方ではなく、子器本体ケース１０２の上側面Ｓ１０２ｂ側に位置するような場合には、その人の顔が、撮像手段によって撮影されない結果、インターホン親機（図示せず。）に設けられているモニターテレビ（図示せず。）に、来訪者のカをが映し出されず、住戸人は、来訪者の顔が確認できない。
【００２３】
かかる問題を解決するためには、図１７に示すようなドアホン子器が考えられる。
【００２４】
このドアホン子器２０１では、図１７に示すように、子器本体ケース２０２に、その正面から上側面にかけて、開口部ｈ２０２を設け、子器本体ケース２０２に内蔵される撮像手段２０３の視野角を、子器本体ケース２０２の上側面へも向けることができるようにしている。
【００２５】
このように、子器本体ケース２０２に、その正面から上側面にかけて、開口部ｈ２０２を設けた場合には、必然的に、子器本体ケース２０２の開口部ｈ２０２を覆うカバー体２０４は、上側面部ｐ２０４ａと正面部ｐ２０４ｂとを備え、断面視した場合、概ねＬ字形状をしたものになる。
【００２６】
しかしながら、カバー体２０４を、図１６に示したような、概ねＬ字形状のものにした場合には、子器本体ケース２０２への接合面ｊ１０１、ｊ１０２、ｊ１０３、ｊ１０４の方向が異なるために、カバー体２０４を、子器本体ケース２０２に、超音波溶着法を用いては、カバー体２０４と子器本体ケース２０２とを、隙間無く、溶着できない、という問題がある。
【００２７】
例えば、カバー体２０４の接合面ｊ１０１を、子器本体ケース２０２の接合面ｊ１０５に当接させて、超音波の振動を加えた場合、カバー体２０４の接合面ｊ１０１と、子器本体ケース２０２の接合面ｊ１０５とは、溶着できるが、カバー体２０４の他の接合面ｊ１０２、ｊ１０３、ｊ１０４は、接合面ｊ１０１と、その向きが異なっているため、子器本体ケース２０２に圧着されない。この結果、カバー体２０４の接合面ｊ１０２、ｊ１０３、ｊ１０４の各々は、子器本体ケース２０２に溶着されない。
【００２８】
このような場合には、カバー体２０４を、子器本体ケース２０２に取り付けた後に、カバー体２０４の接合面ｊ１０２、ｊ１０３、ｊ１０４の各々と、子器本体ケース２０２の表面との隙間から、子器本体ケース２０２内に、雨水等がたやすく侵入する。
【００２９】
即ち、カバー体２０４の形状を、上側面部ｐ２０４ａと正面部ｐ２０４ｂとを備え、断面視した場合、概ねＬ字形状をしたものにした場合には、超音波溶着法を用いては、カバー体２０４と子器本体ケース２０２とを、隙間無く、溶着できない、という問題がある。
【００３０】
本発明は、以上のような問題を解決するためになされたものであって、カメラ付ドアホン子器用筐体、カメラ付ドアホン子器及びテレビ付きインターホンシステムに関し、特に、カメラ付ドアホン子器用筐体内に設けられる撮像手段が、広範囲の映像を撮像できるとともに、防水性にも優れたカメラ付ドアホン子器用筐体、そのようなカメラ付ドアホン子器用筐体を用いたカメラ付ドアホン子器、及び、そのようなカメラ付ドアホン子器を備える、テレビ付きインターホンシステムを提供することを目的としている。
【００３１】
【課題を解決するための手段】
請求項１に記載のカメラ付ドアホン子器用筐体は、撮像手段その他の電気回路部品を収容するために設けられ、撮像手段が設けれる領域に開口部を有する子器本体ケースと、開口部に設けられるカバー体とを備え、子器本体ケースの開口部は、子器本体ケースの正面から上側面の領域に設けられ、カバー体は、上側面部と正面部とを備え、断面視した場合、屈曲形状をしており、子器本体ケースの開口部に取り付けた際に、子器本体ケースの上側面の領域にも、カバー体が形成されるようにされており、カバー体は、その裏面に、カバー体を子器本体ケースに取り付けた際に、子器本体ケースの開口部を囲う位置に、且つ、カバー体の上側面部、上側面部から正面部をまたぐ位置且つ正面部に設けられた、枠形状のリブを有し、子器本体ケースの開口部の周辺には、カバー体の裏面に設けられている枠形状のリブを受けるリブ受けが設けられ、カバー体の裏面に設けられた枠形状のリブの上面の接合面と、子器本体ケースの開口部の周辺に設けられている枠形状のリブ受けの接合面とが、一方向に、当接可能な関係にされており、且つ、カバー体の裏面に設けられた枠形状のリブの上面の接合面と、子器本体ケースの開口部の周辺に設けられている枠形状のリブ受けの接合面とが溶着されている。
【００３２】
ここに、「カバー体を、断面視した場合、屈曲形状をしており」の「屈曲形状」は。概ねＬ字形状であっても、その上側面部と正面部とのなす角度が、例えば、１２０度や、１５０度その他の角度に、屈曲していることを意味する。
【００３３】
このカメラ付ドアホン子器用筐体では、カバー体の裏面に形成した、枠形状のリブの上面の接合面と、子器本体ケースの開口部の周辺に設けられている枠形状のリブ受けの接合面とを当接可能な関係にし、且つ、カバー体の裏面に形成した、枠形状のリブの上面の接合面と、子器本体ケースの開口部の周辺に設けられている枠形状のリブ受けの接合面とを溶着しているので、カバー体が、上側面部と正面部とを備え、断面視した場合、屈曲形状をしており、子器本体ケースに、開口部が、その正面から上側面の領域に設けられている場合であっても、カバー体を、子器本体ケースに、隙間なく、溶着することができる。この結果、このカメラ付ドアホン子器用筐体は、カバー体と、子器本体ケースとの溶着部から、その内部に雨水等が侵入することがないため、優れた防水機能を発揮する。
【００３４】
のみならず、このカメラ付ドアホン子器用筐体では、カバー体を、子器本体ケースに、子器本体ケースの開口部の周辺に設けられたリブ受けの接合面と、カバー体の上側面部、上側面部から正面部をまたぐ位置に設けられた、枠形状のリブの上面の接合面とを溶着することによって、取り付けているので、カメラ付ドアホン子器用筐体に内蔵される撮像手段の視野角を、カバー体の正面部から上側面部の方向へも調節可能なようにした場合にも、撮像手段によって撮影される映像が、カバー体の正面部から上側面部に移行するコーナ部において、途切れることがない。従って、カメラ付ドアホン子器筐体を用いたカメラ付ドアホン子器は、広範囲の映像を撮像できる。
【００３５】
また、発光素子が内蔵させる場合には、発光素子を、カメラ付ドアホン子器筐体の上方位置に設ける。このように、発光素子を、カメラ付ドアホン子器筐体の上方位置に設けた場合には、デザインの自由度を増すことができ、回路基板（プリント板）の設計の製薬を減らすことができ、商品の小型化が可能になる。
【００３６】
請求項２に記載のカメラ付ドアホン子器用筐体は、請求項１に記載のカメラ付ドアホン子器用筐体の、カバー体の裏面に設けられた枠形状のリブの上面の接合面を、ある平面上に位置するように形成し、子器本体ケースの開口部の周辺に設けられるリブ受けの接合面を、カバー体の裏面に設けられた枠形状のリブの上面の接合面が位置している、ある平面と等価な方向の平面上に位置するように形成している。
【００３７】
このカメラ付ドアホン子器用筐体では、カバー体の裏面に設けられた枠形状のリブの上面の接合面を、ある平面上に位置するように形成し、子器本体ケースの開口部の周辺に設けられるリブ受けの接合面を、カバー体の裏面に設けられた枠形状のリブの上面の接合面が位置している、ある平面と等価な方向の平面上に位置するように形成しているので、カバー体の裏面に設けられた枠形状のリブの上面の接合面と、子器本体ケースの開口部の周辺に設けられるリブ受けの接合面とを、当接させることができる。従って、カバー体の裏面に設けられた枠形状のリブの上面の接合面と、カバー体の裏面に設けられた枠形状のリブの上面の接合面とを当接させた状態にして、超音波の振動を加えることで、カバー体の裏面に設けられた枠形状のリブの上面の接合面と、子器本体ケースの開口部の周辺に設けられるリブ受けの接合面とを、隙間無く、溶着することができる。
【００３８】
且つ、このカメラ付ドアホン子器用筐体では、子器本体ケースの開口部の周辺に設けられるリブ受けの接合面及び子器本体ケースの開口部の周辺に設けられるリブ受けの接合面を平面上に形成しているので、カバー体の裏面に設けられた枠形状のリブの形状、及び、子器本体ケースの開口部の周辺に設けられるリブ受けの形状の設計を容易に行うことができる。
【００３９】
請求項３に記載のカメラ付ドアホン子器用筐体は、請求項１に記載のカメラ付ドアホン子器用筐体の、カバー体の裏面に設けられた枠形状のリブの接合面を、ある曲面上に位置するように形成し、子器本体ケースの開口部の周辺に設けらる枠形状のリブ受けの接合面を、カバー体の裏面に設けられた枠形状のリブの接合面が位置している、ある曲面に対応する曲面上に位置するように形成している。
【００４０】
このカメラ付ドアホン子器用筐体では、カバー体の裏面に設けられた枠形状のリブの上面の接合面を、ある曲面上に位置するように形成し、子器本体ケースの開口部の周辺に設けられるリブ受けの接合面を、カバー体の裏面に設けられた枠形状のリブの上面の接合面が位置している、ある曲面に対応する曲面上に位置するように形成しているので、カバー体の裏面に設けられた枠形状のリブの上面の接合面と、子器本体ケースの開口部の周辺に設けられるリブ受けの接合面とを、当接させることができる。のみならず、カバー体の裏面に設けられた枠形状のリブの上面の接合面と、子器本体ケースの開口部の周辺に設けられるリブ受けの接合面とを、当接させると、カバー体の裏面に設けられた枠形状のリブの上面の接合面と、子器本体ケースの開口部の周辺に設けられるリブ受けの接合面とが、嵌合した状態になる。従って、カバー体の裏面に設けられた枠形状のリブの上面の接合面と、カバー体の裏面に設けられた枠形状のリブの上面の接合面とを当接させた状態にして、超音波の振動を加えることで、カバー体の裏面に設けられた枠形状のリブの上面の接合面と、子器本体ケースの開口部の周辺に設けられるリブ受けの接合面とを、ずれが生じることなく、且つ、隙間無く、溶着することができる。
【００４１】
請求項４に記載のカメラ付ドアホン子器用筐体は、請求項１〜３のいずれかに記載のカメラ付ドアホン子器用筐体の、カバー体の裏面に設けられた枠形状のリブの接合面と、子器本体ケースの開口部の周辺に設けられている枠形状のリブ受けの接合面とが超音波溶着されている。
【００４２】
このカメラ付ドアホン子器用筐体では、カバー体の裏面に設けられた枠形状のリブの接合面と、子器本体ケースの開口部の周辺に設けられている枠形状のリブ受けの接合面とを、一方向に、当接可能な形状にしているので、カバー体が、断面視した場合、屈曲形状をしており、子器本体ケースに設けられる開口部が、子器本体ケースの正面から上側面にかけて設けられている場合であっても、子器本体ケースの開口部の周辺の全周にわたって、カバー体を、隙間無く、超音波溶着法によって、溶着することができる。
【００４３】
請求項５に記載のカメラ付ドアホン子器は、請求項１〜４のいずれかに記載のカメラ付ドアホン子器用筐体と、カメラ付ドアホン子器用筐体に内蔵される撮像手段とを備え、カメラ付ドアホン子器用筐体に内蔵される撮像手段は、カバー体の正面部から上側面部にかけて、その視野領域を調節できるようにされている。
【００４４】
このカメラ付ドアホン子器では、筐体として、請求項１〜４のいずれかに記載のカメラ付ドアホン子器用筐体を用いているので、カメラ付ドアホン子器用筐体に内蔵される撮像手段の視野角を、カバー体の正面部から上側面部の方向へも調節可能なようにした場合にも、撮像手段によって撮影される映像が、カバー体の正面部から上側面部に移行するコーナ部において、途切れることがない。従って、このカメラ付ドアホン子器は、広範囲の映像を撮像できる。
【００４５】
また、カメラ付ドアホン子器用筐体に内蔵される撮像手段の視野角を、カバー体の正面部から上側面部の方向へ調節する際に、発光素子の光路も、カバー体の正面部から上側面部の方向へ調節できるようにしてもよい。
【００４６】
請求項６に記載のカメラ付ドアホン子器は、請求項５に記載のカメラ付ドアホン子器の、カバー体が、子器本体ケースの正面からその上側面に移行するコーナ部の内表面側に、撮像手段が撮像する映像に線模様が形成されるのを防止するための緩やかな曲面を備える。
【００４７】
このドアホン子器では、カバー体は、子器本体ケースの正面からその上面側面部に移行するコーナ部の内表面側に、撮像手段が撮像する映像に線模様が形成されるのを防止するための緩やかな曲面を設けているので、撮像手段が、このコーナ部を通して撮像した映像に、線模様が形成されない。
【００４８】
この結果、このドアホン子器をインターホン親機に接続し、インターホン親機のモニターテレビに、このドアホン子器に内蔵した撮像手段が撮像した映像を映し出した場合に、モニターテレビに映し出される映像に、線模様が現れず、来訪者の顔などが、つぶれたりすることなく、はっきり判るように映し出される。
【００４９】
請求項７に記載のカメラ付ドアホン子器は、請求項５又は請求項６に記載のカメラ付ドアホン子器が、カメラ付ドアホン子器用筐体内に、撮像手段の近傍に、発光素子を備え、且つ、カバー体は、発光素子が外部から見えないようにするためのスモーク部と、可視光透過部とを備え、スモーク部は、その中央に開口部を有する枠体形状をしており、可視光透過部が、枠体形状のスモーク部を覆うように、且つ、枠体形状のスモーク部の開口部を塞ぐように、スモーク部に、一体形成されている。
【００５０】
このドアホン子器では、ドアホン子器に内蔵される発光素子をスモーク部により外側から見えないようにしているので、美観に優れている。のみならず、スモーク部と可視光透過部とを一体成形しているので、カバー体の各々に、スモークシートを貼着するようにした場合に比べ、ドアホン子器の組立作業者の組立作業を、カバー体の各々に、スモークシートを貼着しなくてよいようにした分、軽減できる。
【００５１】
尚、ここでは、ドアホン子器に内蔵される発光素子をスモーク部により外側から見えないようにしていると規定しているが、発光素子のみならず、ドアホン子器に内蔵される、その他の内部部品が、外部から見えないようにしても良い。
【００５２】
請求項８に記載のテレビ付きインターホンシステムは、請求項５〜７のいずれかに記載のカメラ付ドアホン子器と、カメラ付ドアホン子器の撮像手段が撮像した映像を表示するモニターテレビを備えるインターホン親機とを備える。
【００５３】
このテレビ付きインターホンシステムでは、ドアホン子器に内蔵されている撮像手段が広範囲の撮像視野を有する、請求項１〜７のいずれかに記載のドアホン子器を用いているので、インターホン親機のモニターテレビには、撮像手段が撮像した映像が、訪問者の顔が欠けたりすることなく映し出される。
【００５４】
この結果、住戸に、このテレビ付きインターホンシステムを取り付けた場合には、住戸人は、訪問者の顔をはっきりと確認した後に、扉を解錠できるので、不審者を住戸内に入れるというゆゆしき事態を防ぐことができる。
【００５５】
即ち、このテレビ付きインターホンシステムは、例えば、一人暮らしの若い女性などが入居する住戸の防犯対策用のインターホンシステムとして適している。
【００５６】
【発明の実施の形態】
以下、本発明を図面を参照しながら更に詳しく説明する。
【００５７】
図１は、本発明に係るドアホン子器の要部を概略的に示す分解斜視図であり、また、図２は、本発明に係るドアホン子器を概略的に示す図であり、図２（ａ）は、本発明に係るドアホン子器を概略的に示す斜視図であり、また、図２（ｂ）は、本発明に係るドアホン子器の要部を説明するために、カバー体を、子器本体ケースから分離した状態で示す分解斜視図である。
【００５８】
また、図３は、ドアホン子器を概略的に示す断面図である。
【００５９】
尚、図３では、カバー体４を、子器本体ケース２から分離した状態で表している。
【００６０】
このドアホン子器１は、住戸の扉の近傍に取り付けられるものであり、撮像手段、発光素子、スピーカ、集音マイクその他の電気回路部品を収容する子器本体ケース２を備える。
【００６１】
尚、３で示す部材装置は、子器本体ケース２内に収容されている撮像手段を示している。撮像手段３としては、例えば、ＣＣＤカメラ（固体撮像装置）等が用いられている。
【００６２】
子器本体ケース２は、撮像手段３が設けられる領域に開口部ｈ２を有する。
【００６３】
この開口部ｈ２には、カバー体４が、撮像手段３を覆うように設けられている。
【００６４】
また、図２（ａ）及び図２（ｂ）の各々中、５で示す部材装置は、呼出しボタンを、また、６は、スピーカを、各々、示している。
【００６５】
また、図２（ｂ）及び図３の各々中、７で示す部材装置は、発光素子を示している。
【００６６】
また、図３中、８で示す部材は、撮像手段３やこのドアホン子器１を制御する制御装置（ＣＰＵ）（図示せず。）等が実装される回路基板を、９で示す部材は、呼出しボタン５を照らす通電ランプを、また、１０で示す部材装置は、撮像対象やその周辺の明るさを検出する光センサー（明るさセンサー）を、各々、示している。
【００６７】
発光素子７は、夜間になり、ドアホン子器１の周辺が暗い時に点灯し、撮像手段３が撮像する被照射体（訪問者等）を照らすために設けられている。
【００６８】
また、光センサー（明るさセンサー）１０は、ドアホン子器１の周辺の明るさを検知するものである。
【００６９】
そして、光センサー（明るさセンサー）１０が検知した情報Ｄ１０は、制御装置（ＣＰＵ）（図示せず。）に送られる。制御装置（ＣＰＵ）（図示せず。）は、光センサー（明るさセンサー）１０が検知した情報Ｄ１０を、制御装置（ＣＰＵ）（図示せず。）に予め記憶されているしきい値Ｄｔｈと比較する。そして、制御装置（ＣＰＵ）（図示せず。）は、光センサー（明るさセンサー）１０が検知した情報Ｄ１０が、しきい値Ｄｔｈに比べ、暗いと判断した場合（Ｄ１０＜Ｄｔｈ）に、発光素子７を所定時間点灯し、光センサー（明るさセンサー）１０が検知した情報Ｄ１０が、しきい値Ｄｔｈに比べ、明るいと判断した場合（Ｄ１０≧Ｄｔｈ）に、発光素子７を点灯しないように、制御するようになっている。
【００７０】
また、回路基板８は、回転可能に設けられており、回路基板８の角度を変えれば、撮像手段３の撮像アングル（視野角）を変えることができるようになっている。
【００７１】
このドアホン子器１では、まず、子器本体ケース２に設けられている開口部ｈ２の形状が、図１６に示したドアホン子器１０１の子器本体ケース１０２に設けられている開口部ｈ１０２の形状と異なっている。
【００７２】
即ち、このドアホン子器１では、開口部ｈ２は、子器本体ケース２の正面Ｓ２ａからその上側面Ｓ２ｂの領域にかけて、子器本体ケース２に形成されている。
【００７３】
また、カバー体４は、断面視した場合、概ね逆Ｌ字形状をしている。
【００７４】
そして、カバー体４を、子器本体ケース２の開口部ｈ２に取り付けた際に、子器本体ケース２の上側面Ｓ２ｂの領域にも、カバー体４（この例では、スモーク部４ａ）が形成されるようにしている。
【００７５】
このドアホン子器１では、子器本体ケース２の正面Ｓ２ａから上側面Ｓ２ｂにかけて、カバー体４（この例では、スモーク部４ａ）を設けるようにしているので、カバー体１０４を子器本体ケース１０２の正面方向にのみ設けた従来のドアホン子器１０１に比べ、ドアホン子器１に内蔵した撮像手段３の撮像視野を広範囲にすることができる。
【００７６】
次に、カバー体４の形状について更に詳しく説明する。
【００７７】
図４は、カバー体４を概略的に示す図であり、図４（ａ）は、カバー体４の好ましい形状の一例を概略的に示す説明図であり、また、図４（ｂ）は、カバー体４の好ましい形状の他の一例を概略的に示す説明図である。
【００７８】
尚、図４（ａ）及び図４（ｂ）の各々中において、左側に、カバー体４の概略的な斜視図を表し、右側に、カバー体４の子器本体ケース２への取付構造を概略的に示す説明図を表している。
【００７９】
まず、図３と図４（ａ）とを参照しながら説明すると、上側面部ｐ４ａと正面部ｐ４ｂとを備え、断面視した場合、概ねＬ字形状をしている。
【００８０】
この結果、カバー体４を、子器本体ケース２の開口部ｈ２に取り付けた際に、子器本体ケース２の上側面Ｓ２ｂの領域にも、カバー体４が形成されるようにされている（図２（ａ）を参照）。
【００８１】
且つ、カバー体２は、その裏面に、カバー体４を子器本体ケース２に取り付けた際に、子器本体ケース２の開口部ｈ２を囲う位置に、枠形状のリブＲ４を有している。この例では、リブＲ４が、四角枠形状になっている。
【００８２】
この枠形状のリブＲ４は、カバー体４の裏面に、カバー体４の上側面部ｐ４ａ、上側面部ｐ４ａから正面部ｐ４ｂをまたぐ位置且つ正面部ｐ４ｂに設けられている。
【００８３】
この例では、リブＲ４の４つの辺ｆ１、ｆ２、ｆ３、ｆ４の中、対向する一対の辺ｆ２、ｆ３が、カバー体４の裏面に、上側面部ｐ４ａから正面部ｐ４ｂをまたぐように形成されている。
【００８４】
より詳しく説明すると、枠形状のリブＲ４の第１の辺ｆ１が、カバー体２の上側面部ｐ４ａの裏面に形成されており、枠形状のリブＲ４の第１の辺ｆ１に隣接する第２の辺ｆ２及び第３の辺ｆ３が、カバー体４の裏面の上側面部ｐ４ａ、上側面部ｐ４ａから正面部ｐ４ｂをまたぐ位置に各々形成され、枠形状のリブＲ４の第１の辺ｆ１の対辺となる第４の辺ｆ４が、カバー体４の裏面の正面部ｐ４ｂに形成されている。
【００８５】
子器本体ケース２の開口部ｈ２の周辺には、カバー体４の裏面に設けられている枠形状のリブＲ４を受けるリブ受けＪ２が設けられている。
【００８６】
このリブ受けＪ２は、開口部ｈ２を囲う、４角枠形状になっている。
【００８７】
そして、カバー体４の裏面に設けられた枠形状のリブＲ４の上面の接合面ｊ１、ｊ２、ｊ３、ｊ４と、子器本体ケース２の開口部ｈ２の周辺に、開口部ｈ２を囲うように設けられている枠形状のリブ受けＪ２の接合面ｊ５、ｊ６、ｊ７、ｊ８とが、一方向に、当接可能な関係にされている。
【００８８】
即ち、カバー体４の裏面に設けられた枠形状のリブＲ４の上面の接合面ｊ１、ｊ２、ｊ３、ｊ４の各々は、いずれも同じ方向を向いている。
【００８９】
且つ、子器本体ケース２の開口部ｈ２の周辺に、開口部ｈ２を囲うように設けられている枠形状のリブ受けＪ２の接合面ｊ５、ｊ６、ｊ７、ｊ８の各々は、リブＲ４の上面の接合面ｊ１、ｊ２、ｊ３、ｊ４の各々が、面接触するように、リブＲ４の上面の接合面ｊ１、ｊ２、ｊ３、ｊ４の各々の面の方向に対向する方向に、いずれも同じ方向を向いている。
【００９０】
別の表現で説明すると、リブＲ４の上面の接合面ｊ１と、リブ受けＪ２の接合面ｊ５とは、互いに、面接触が可能なように、対向する関係にされており、リブＲ４の上面の接合面ｊ２と、リブ受けＪ２の接合面ｊ６とは、互いに、面接触が可能なように、対向する関係にされており、リブＲ４の上面の接合面ｊ３と、リブ受けＪ２の接合面ｊ７とは、互いに、面接触が可能なように、対向する関係にされており、且つ、リブＲ４の上面の接合面ｊ４と、リブ受けＪ２の接合面ｊ８とは、互いに、面接触が可能なように、対向する関係にされている。そして、カバー体４を、子器本体ケース２に一方向に押しつけると、リブＲ４の上面の接合面ｊ１とリブ受けＪ２の接合面ｊ５、リブＲ４の上面の接合面ｊ２とリブ受けＪ２の接合面ｊ６、リブＲ４の上面の接合面ｊ３とリブ受けＪ２の接合面ｊ７、及び、リブＲ４の上面の接合面ｊ４とリブ受けＪ２の接合面ｊ８のいずれもが、互いに圧接される関係にされている。
【００９１】
従って、このカメラ付ドアホン子器用筐体２では、カバー体４を、子器本体ケース２に一方向に押しつけた後、所定時間、超音波振動を与えると、振動摩擦によって、リブＲ４の上面の接合面ｊ１とリブ受けＪ２の接合面ｊ５との当接部、リブＲ４の上面の接合面ｊ２とリブ受けＪ２の接合面ｊ６との当接部、リブＲ４の上面の接合面ｊ３とリブ受けＪ２の接合面ｊ７との当接部、及び、リブＲ４の上面の接合面ｊ４とリブ受けＪ２の接合面ｊ８との当接部のいずれもが、発熱し、溶着する。
【００９２】
この結果、カバー体４の裏面に設けられた枠形状のリブＲ４の上面の接合面ｊ１、ｊ２、ｊ３、ｊ４の各々と、子器本体ケース２の開口部ｈ２の周辺に、開口部ｈ２を囲うように設けられている枠形状のリブ受けＪ２の接合面ｊ５、ｊ６、ｊ７、ｊ８の各々とが、隙間無く、溶着される。
【００９３】
従って、このカメラ付ドアホン子器用筐体２は、カバー体４と子器本体ケース２との溶着部の防水性が優れているので、雨水等が、カメラ付ドアホン子器用筐体２内に侵入することがない。
【００９４】
また、このカメラ付ドアホン子器用筐体２では、カバー体４の裏面に形成した、枠形状のリブＲ４の上面の接合面ｊ１、ｊ２、ｊ３、ｊ４と、子器本体ケース２の開口部ｈ２の周辺に設けられている枠形状のリブ受けＪ２の接合面ｊ５、ｊ６、ｊ７、ｊ８とを当接可能な関係にし、且つ、カバー体４の裏面に形成した、枠形状のリブＲ４の上面の接合面ｊ１、ｊ２、ｊ３、ｊ４と、子器本体ケース２の開口部ｈ２の周辺に設けられている枠形状のリブ受けＪ２の接合面ｊ５、ｊ６、ｊ７、ｊ８とを溶着している。
【００９５】
従って、カバー体４が、上側面部ｐ４ａと正面部ｐ４ｂとを備え、断面視した場合、概ねＬ字形状をしており、子器本体ケース２に、開口部ｈ２が、その正面Ｓ２ａから上側面Ｓ２ｂの領域に設けられている場合であっても、カバー体４を、子器本体ケース２に、隙間なく、超音波溶着法を用いて、溶着することができる。
【００９６】
尚、リブＲ４の上面の接合面ｊ１、ｊ２、ｊ３、ｊ４の各々は、同一方向を向いていればよく、ある仮想の同一の平面上にあっても、異なる仮想の面上にあってもよい。
【００９７】
しかしながら、カバー体４及び子器本体ケース２の設計の容易性等を考慮した場合には、リブＲ４の上面の接合面ｊ１、ｊ２、ｊ３、ｊ４の各々は、ある仮想の同一の平面上に位置していることが好ましい。
【００９８】
即ち、リブＲ４の上面の接合面ｊ１、ｊ２、ｊ３、ｊ４の各々は、ある仮想の同一の平面上に位置させる場合には、カバー体４の裏面に設けられた枠形状のリブＲ４は、リブＲ４の上側面部ｐ４ａと正面部ｐ４ｂとの双方を通過する、ある仮想面上に、子器本体ケース２の開口部ｈ２の周辺に、開口部ｈ２を囲うように設けられるリブ受けＪ２と同一形状・大きさに設計すればよい。
【００９９】
また、子器本体ケース２に設けるリブ受けＪ２は、子器本体ケース２の開口部ｈ２の周辺に、開口部ｈ２を囲うように、且つ、リブＲ４の上面の接合面ｊ１、ｊ２、ｊ３、ｊ４が形成されている、ある仮想の平面と等価な面上に形成するようにすればよい。
【０１００】
即ち、子器本体ケース２を設計する際に、リブ受けＪ２を、子器本体ケース２に設けるリブ受けＪ２の接合面ｊ５、ｊ６、ｊ７、ｊ８が、リブＲ４の正面部ｐ４ｂを、子器本体ケース２の正面に、面一にした場合に、リブＲ４の上面の接合面ｊ１、ｊ２、ｊ３、ｊ４の各々が設けられている、ある仮想の同一の平面上に位置させるように設計すればよい。
【０１０１】
また、カメラ付ドアホン子器用筐体は、図４（ｂ）に示すカメラ付ドアホン子器用筐体４Ａのような構造になっていてもよい。
【０１０２】
このカメラ付ドアホン子器用筐体４Ａは、カバー体４Ａの裏面に設けられた枠形状のリブＲ４Ａの接合面ｊ１、ｊ２、ｊ３、ｊ４を、ある曲面上に位置するように形成し、子器本体ケース２の開口部ｈ２の周辺に設けられる枠形状のリブ受けＪ２の接合面を、カバー体の裏面に設けられた枠形状のリブの接合面が位置している、ある曲面に対応する曲面上に位置するように形成している。
【０１０３】
この例では、リブＲ４Ａの、４つの辺ｆ１、ｆ２、ｆ３、ｆ４の中、カバー体４の上側面部ｐ４ａと正面部ｐ４ｂとをまたぐように形成されている、対向する、一対の辺ｆ２、ｆ３の各々を凹状に湾曲させた形状にしている。
【０１０４】
また、子器本体ケース２の開口部ｈ２の周辺に設けらる枠形状のリブ受けＪ２の４つの接合面ｊ５、ｊ６、ｊ７、ｊ８の中、リブＲ４Ａの４つの辺ｆ１、ｆ２、ｆ３、ｆ４の中、凹状に湾曲させた形状にされている、一対の辺ｆ２、ｆ３の各々と当接する、２つの接合面ｊ６、ｊ７の各々を、一対の辺ｆ２、ｆ３の各々が面接触するように、凸状に湾曲させた形状にしている。
【０１０５】
尚、カメラ付ドアホン子器用筐体４Ａのその他の構成は、カメラ付ドアホン子器用筐体４と同様であるので、ここでの説明は、省略する。
【０１０６】
このカメラ付ドアホン子器用筐体４Ａでは、カバー体４の裏面に設けられた枠形状のリブＲ４の上面の接合面ｊ１、ｊ２、ｊ３、ｊ４を、ある曲面上に位置するように形成し、子器本体ケース２の開口部ｈ２の周辺に設けられるリブ受けＪ２の接合面ｊ５、ｊ６、ｊ７、ｊ８を、カバー体２の裏面に設けられた枠形状のリブＲ４の上面の接合面ｊ１、ｊ２、ｊ３、ｊ４が位置している、ある曲面に対応する曲面上に位置するように形成しているので、カバー体４の裏面に設けられた枠形状のリブＲ４の上面の接合面ｊ１、ｊ２、ｊ３、ｊ４と、子器本体ケース２の開口部ｈ２の周辺に設けられるリブ受けＪ２の接合面ｊ５、ｊ６、ｊ７、ｊ８とを、当接させることができる。のみならず、カバー体４の裏面に設けられた枠形状のリブＲ４の上面の接合面ｊ１、ｊ２、ｊ３、ｊ４と、子器本体ケース２の開口部ｈ２の周辺に設けられるリブ受けＪ２の接合面ｊ５、ｊ６、ｊ７、ｊ８とを、当接させると、カバー体４の裏面に設けられた枠形状のリブＲ４の上面の接合面ｊ１、ｊ２、ｊ３、ｊ４と、子器本体ケース２の開口部ｈ２の周辺に設けられるリブ受けＪ２の接合面ｊ５、ｊ６、ｊ７、ｊ８とが、嵌合した状態になる。従って、カバー体４の裏面に設けられた枠形状のリブＲ４の上面の接合面ｊ１、ｊ２、ｊ３、ｊ４と、子器本体ケース２の開口部ｈ２の周辺に設けられるリブ受けＪ２の接合面ｊ５、ｊ６、ｊ７、ｊ８とを当接させた状態にして、超音波の振動を加えることで、カバー体４の裏面に設けられた枠形状のリブＲ４の上面の接合面ｊ１、ｊ２、ｊ３、ｊ４と、子器本体ケース２の開口部ｈ２の周辺に設けられるリブ受けＪ２の接合面ｊ５、ｊ６、ｊ７、ｊ８とを、ずれが生じることなく、且つ、隙間無く、溶着することができる。
【０１０７】
また、図５は、カバー体４の正面部から上側面部へ移行するコーナ部の形状を概略的に示す断面図であり、図５（ａ）は、カバー体４の好ましい形状の一例を概略的に示す説明図であり、また、図５（ｂ）は、カバー体４のあまり好ましいとは言えない形状を概略的に示す説明図である。
【０１０８】
カバー体４は、図５（ａ）に示すように、子器本体ケース２の正面Ｓ２ａからその上側面Ｓ２ｂに移行するコーナ部の内表面側Ｓｒｂに、撮像手段３が撮像する映像に線模様が形成されるのを防止するための緩やかな曲面Ｒｂを備える。
【０１０９】
この曲面Ｒｂは、子器本体ケース２の正面Ｓ２ａからその上側面Ｓ２ｂに移行するコーナ部の外表面側Ｓｒａに形成される曲面Ｒａと、概ね、同心円の関係になるように形成されている。
【０１１０】
カバー体４では、子器本体ケース２の正面Ｓ２ａからその上側面Ｓ２ｂに移行するコーナ部の内表面側Ｓｒｂに、撮像手段３が撮像する映像に線模様が形成されるのを防止するための緩やかな曲面Ｒｂを備える結果、図４（ｂ）に示すカバー体４Ｂに生じる問題が生じない。
【０１１１】
まず、図５（ｂ）に示すカバー体４Ｂに生じる問題について詳述する。
【０１１２】
図５（ｂ）に示すカバー体４Ｂでは、カバー体４は、子器本体ケース２の正面Ｓ２ａからその上側面Ｓ２ｂに移行するコーナ部に、内表面側Ｓｒｂに、曲率の大きな曲面Ｒｃが形成されている。
【０１１３】
このカバー体４Ｂのように、子器本体ケース２の正面Ｓ２ａからその上側面Ｓ２ｂに移行するコーナ部の内表面側Ｓｒｂに、曲率の大きな曲面Ｒｃが形成されている場合には、発光素子７から照射される光であって、曲面Ｒｃの一方側Ｒｃ１を通過する光と、曲面Ｒｃの他方側Ｒｃ２を通過する光とは、このコーナ部において、互いに、著しく異なる方向に向けられる。
【０１１４】
このようなことが原因し、発光素子７から光を照射した場合、カバー体４Ｂの子器本体ケース２の正面Ｓ２ａからその上側面Ｓ２ｂに移行するコーナ部の外方において、発光素子７から照射された光が届かない部分が形成され、発光素子７を点灯して、被照射体（訪問者等）を照らした場合、被照射体（訪問者等）に線状の影ができる、という問題が生じる。
【０１１５】
この結果、発光素子７を点灯し、被照射体（訪問者等）から発せられた光を撮像手段３で撮像した場合、撮像手段３が撮像した映像をモニターテレビ（図示せず。）で見た場合には、映像中に、暗線が形成される。
【０１１６】
また、被照射体（訪問者等）から発せられた光（反射光）であって、曲面Ｒｃの一方側Ｒｃ１を入光する光と、曲面Ｒｃの他方側Ｒｃ２を入光する光とは、互いに、異なる方向に向けられる。
【０１１７】
また、図５（ｂ）に示すカバー体４Ｂでは、カバー体４Ｂの子器本体ケース２の子器本体ケース２の正面Ｓ２ａからその上側面Ｓ２ｂに移行するコーナ部の肉厚に厚い部分と細い部分とが形成される。
【０１１８】
このようなことが原因して、被照射体（訪問者等）から発せられた光を撮像手段３で撮像した場合、曲面Ｒｃの一方側Ｒｃ１を入光する光と、曲面Ｒｃの他方側Ｒｃ２を入光する光とは、互いに、異なる方向に向けられる結果、撮像手段３によって撮像した映像は、カバー体４Ｂの子器本体ケース２の正面Ｓ２ａからその上側面Ｓ２ｂに移行するコーナ部を介して撮像した部分においてゆがみが生じ、この映像をモニターテレビ（図示せず。）で見た場合には、線模様が現れ、来訪者の顔などが、つぶれたりする、という問題が生じる。
【０１１９】
これに対し、図５（ａ）に示すカバー体４では、子器本体ケース２の正面Ｓ２ａからその上側面Ｓ２ｂに移行するコーナ部の内表面側Ｓｒｂに、撮像手段３が撮像する映像に線模様が形成されるのを防止するための緩やかな曲面Ｒｂを備えている。このため、発光素子７から照射される光は、カバー体４は、子器本体ケース２の正面Ｓ２ａからその上側面Ｓ２ｂに移行するコーナ部において、均等に、放射線方向に曲げられる結果、カバー体４の子器本体ケース２の正面Ｓ２ａからその上側面Ｓ２ｂに移行するコーナ部の外方において、発光素子７から照射された光が届かない部分が形成されることがないため、発光素子７を発光して被照射（訪問者等）を照らした場合、被照射体（訪問者等）に線状の影ができることはない。
【０１２０】
この結果、発光素子７を点灯し、被照射体（訪問者等）から発せられた光を撮像手段３で撮像した場合、撮像手段３が撮像した映像をモニターテレビ（図示せず。）で見た場合には、映像中に、暗線が形成されることはなく、被照射体（訪問者等）がはっきりとモニターテレビ（図示せず。）に映し出される。
【０１２１】
また、被照射体（訪問者等）から発せられた光（反射光）であって、曲面Ｒｂから入光する光は、カバー体４の子器本体ケース２の正面Ｓ２ａからその上側面Ｓ２ｂに移行するコーナ部において、均等に、曲げられる。
【０１２２】
また、図５（ａ）に示すカバー体４では、カバー体４の子器本体ケース２の子器本体ケース２の正面Ｓ２ａからその上側面Ｓ２ｂに移行するコーナ部の肉厚が同じ厚さ又は概ね同じ厚さに形成されている。
【０１２３】
この結果、被照射体（訪問者等）から発せられた光を撮像手段３で撮像した場合、撮像手段３によって撮像した映像は、カバー体４の子器本体ケース２の正面Ｓ２ａからその上側面Ｓ２ｂに移行するコーナ部を介して撮像した部分においてもゆがみが殆ど生じない。従って、この映像をモニターテレビ（図示せず。）で見た場合には、線模様が現れず、来訪者の顔などが、つぶれたりすることなく、被照射体（訪問者等）がはっきりとモニターテレビ（図示せず。）に映し出される。
【０１２４】
次に、カバー体４の他の構成について更に詳しく説明する。
【０１２５】
カバー体４は、図３に示すように、発光素子（図３に示す発光素子７）が外部から見えないようにするためのスモーク部４ａと、可視光透過部４ｂとを備える。
【０１２６】
スモーク部４ａは、例えば、茶色等の暗色に着色された透明樹脂で製されている。
【０１２７】
スモーク部４ａは、その中央に開口部ｈ４を有する枠体形状をしている。
【０１２８】
可視光透過部４ｂは、無色透明な樹脂で製されており、枠体形状のスモーク部４ａの開口部ｈ４を塞ぐように一体成形されている。
【０１２９】
図６は、カバー体４の構成を模式的に示す構成図である。
【０１３０】
尚、カバー体４は、図１〜図５の各々において示したように、実際には、断面視した場合、略逆Ｌ字形状になっているが、図６では、説明を容易とするために、平板形状にして説明している。
【０１３１】
この例では、カバー体４は、可視光透過部４ｂが、枠体形状のスモーク部４ａを覆うように、且つ、枠体形状のスモーク部４ａの開口部ｈ４を塞ぐように一体成形されている。
【０１３２】
より詳しく説明すると、このカバー体４では、可視光透過部４ｂが、枠体形状のスモーク部４ａの、カバー体４を子器本体ケース２に取り付けた後において、外側から見える側の表面を覆うように、且つ、枠体形状のスモーク部４ａの開口部ｈ４を塞ぐように一体成形されている。
【０１３３】
このドアホン子器１では、可視光透過部４ｂが、枠体形状のスモーク部４ａのを覆うように、且つ、枠体形状のスモーク部４ａの開口部を塞ぐように一体成形しているので、カバー体４の表面が、可視光透過部４ｂによって万遍なく覆われ、可視光透過部４ｂとスモーク部４ａとの界面が、外部に露呈せず、カバー体４を観る人は、スモーク部４ａを、可視光透過部４ｂを介して外部から見えるスケルトンとして認識するため、このカバー体４を採用したドアホン子器は、美観に優れている。
【０１３４】
尚、ここでは、スモーク部４ａを、可視光透過部４ｂを介して外部から見えるスケルトンとしたカバー体４について説明したが、単純には、図７に示すカバー体４Ｃのように、発光素子７が外部から見えないようにするためのスモーク部４ａの中央の開口部ｈ４を塞ぐように、可視光透過部４ｂを一体成形してもよい。
【０１３５】
カバー体４、４Ｃのように、スモーク部４ａと可視光透過部４ｂとを一体成形した場合には、カバー体（図示せず。）の各々に、スモークシート（図示せず。）を貼着するようにした場合に比べ、ドアホン子器の組立作業者の組立作業を、カバー体（図示せず。）の各々に、スモークシート（図示せず。）を貼着しなくてよいようにした分、軽減できる。
【０１３６】
次に、カバー体４の製造方法について説明する。
【０１３７】
図８は、カバー体４の製造方法の好ましい一例を概略的に示す工程図であり、また、図９は、カバー体４の製造方法のあまり好ましいとは言えない一例を概略的に示す工程図である。
【０１３８】
カバー体４、４Ｃは、例えば、射出成形法により製造することができる。
【０１３９】
カバー体４、４Ｃを製造する際には、まず、中央に開口部ｈ４を有するスモーク部４ａを射出成形法により製造する。
【０１４０】
次に、スモーク部４ａを、射出成形用金型（図示せず。）の所定の位置にセットする。
【０１４１】
そして、カバー体４Ｃを製造する場合にあっては、スモーク部４ａの開口部ｈ４内に、可視光透過部４ｂとなる溶融樹脂を充填する。
【０１４２】
また、カバー体４を製造する場合にあっては、スモーク部４ａの一方側の表面を覆うように、且つ、スモーク部４ａの開口部ｈ４内に、可視光透過部４ｂとなる溶融樹脂を充填する。
【０１４３】
この場合、射出成形用金型（図示せず。）の可視光透過部４ｂとなる溶融樹脂を流し込む湯口Ｅは、図８（ｂ）に示すように、スモーク部４ａの開口部ｈ４の領域に形成するのが好ましい。
【０１４４】
これは、例えば、図９（ｂ）に示すように、射出成形用金型（図示せず。）の可視光透過部４ｂとなる溶融樹脂を流し込む湯口Ｅを、スモーク部４ａの外側側方位置に設けた場合には、スモーク部４ａにも、スモーク部４ａの開口部ｈ４に溶融樹脂を送り込む湯道４ｒを形成する必要があるのに対し、図８（ｂ）に示すように、スモーク部４ａの開口部ｈ４の領域に形成した場合には、スモーク部４ａに、スモーク部４ａの開口部ｈ４に溶融樹脂を送り込む湯道４ｒを形成する必要がなくなるからである。
【０１４５】
次に、カバー体の製造方法の更に好ましい一例を説明する。
【０１４６】
図１０は、カバー体の製造方法の更に好ましい一例を概略的に示す説明図であり、図１０（ａ）は、カバー体の概略的な正面図を、図１０（ｂ）は、図１０（ｂ）中、Ｘ−Ｘ線に従う概略的な断面図を、図１０（ｃ）は、カバー体の概略的な背面図を、また、図１０（ｄ）は、図１０（ｂ）中、Ｘ−Ｘ線に従う概略的な断面図を、各々、示している。
【０１４７】
このカバー体４Ｄでは、カバー体４Ｄを形成する金型に、スモーク部４ａを形成する溶融樹脂を流し込むゲート部Ｇ４ａ、及び、可視光透過部４ｂを形成する溶融樹脂を流し込むゲート部Ｇ４ｂを、各々、カバー体４Ｄの正面部ｐ４ｂの下端に設けている。
【０１４８】
カバー体４を形成する金型に、ゲート部Ｇ４ａ及びゲート部Ｇ４ｂを、上述しした位置に設けると、湯道（図９に示す湯道４ｒを参照）を形成する必要がなく、しかも、カバー体４Ｄの正面部ｐ４ｂに、ゲート跡が現れず、カバー体４Ｄの美観が向上し、ひいては、このカバー体４Ｄが取り付けられたドアホン子器筐体を用いた、ドアホン子器の美観が向上する。
【０１４９】
次に、発光素子７及び撮像手段３の好ましい組み合わせについて、説明する。
【０１５０】
発光素子７としては、例えば、赤外線発光ダイオードを用いることが好ましい。
【０１５１】
この場合、撮像手段３として、赤外線撮像手段を用いることが好ましい。
【０１５２】
また、この場合、カバー体４のスモーク部４ａは、赤外線を透過する材料で製せられる。
【０１５３】
このように、発光素子７として、赤外線発光ダイオードを用い、撮像手段３として、赤外線撮像手段を用いた場合には、訪問者等に、訪問者等を撮像していることを気づかれることなく、訪問者等を撮像手段により撮像できる。更に、撮像手段３として、赤外線撮像手段を用いているので、赤外線発光ダイオードが発光することにより照射され訪問者等によって反射された赤外線の反射光を撮像することで、訪問者等をはっきりと撮像できる。
【０１５４】
また、発光素子７としては、例えば、白色発光素子を用いてもよい。
【０１５５】
この場合、撮像手段３として、カラー撮像手段を用いることが好ましい。
【０１５６】
このように、発光素子７として、白色発光素子を用い、撮像手段３として、カラー撮像手段を用いた場合には、このドアホン子器１に接続するインターホン親機として、カラーモニターテレビを備えたものを用いれば、インターホン親機のモニターテレビに、訪問者等の映像をカラーで映し出すことができる。
【０１５７】
また、発光素子７としては、例えば、赤外線発光ダイオードを用い、撮像手段３として、カラー撮像手段を用いるようにしてもよい。
【０１５８】
発光素子７として、赤外線発光ダイオードを用い、撮像手段３として、カラー撮像手段を用いた場合には、光センサー（明るさセンサー）１０が検出した情報に基づいて、発光素子７を点灯する際には、撮像手段３を白黒映像に切り替えて、撮像対象を撮像し、光センサー（明るさセンサー）１０が検出した情報に基づいて、発光素子７を点灯しない際には、撮像手段３により、カラー映像で、撮像対象を撮像するように制御するのが好ましい。
【０１５９】
このように制御した場合には、ドアホン子器１では、撮像対象（訪問者等）やその周辺が暗くて、光センサー（明るさセンサー）１０を点灯した際には、撮像手段３を白黒映像に切り替えて、撮像対象（訪問者等）を撮像する。このため、撮像対象（訪問者等）やその周辺が暗く、カラー映像としては、撮像対象（訪問者等）を十分に撮像できないような場合にも、この映像をインターホン親機（図示せず。）のモニターテレビ（図示せず。）に、白黒映像で、はっきりと映し出すことができる。また、撮像対象（訪問者等）やその周辺が明るい場合には、撮像手段３をカラー映像にして、撮像対象（訪問者等）を撮像するようにしているので、インターホン親機（図示せず。）のモニターテレビに、撮像対象（訪問者等）をカラー映像ではっきりと映し出すことができる。
【０１６０】
また、このドアホン子器１では、子器本体ケース２の正面Ｓ２ａから上側面Ｓ２ｂにかけて、カバー体４を設けるようにした結果、図３に示すように、発光素子７を、撮像手段３を実装する回路基板８の上方に設けることができる。
【０１６１】
この結果、撮像手段３と発光素子７との間隔を拡げることができるため、撮像手段３の周辺に、発光素子７を設けていない分、空間が形成される。
【０１６２】
この結果、発光素子７を点灯するか否かの撮像手段３の露光量を検出するための光センサー（明るさセンサー）１０を撮像手段３の近傍位置に設けることができる。
【０１６３】
このドアホン子器１では、発光素子１０を、子器本体ケース２の上側面Ｓ２ｂに近い位置に設置することができるようなった結果、撮像手段３の近傍に光センサー（明るさセンサー）１０を設けることができるため、ドアホン子器１のダウンサイジングを実現できる。
【０１６４】
次に、ドアホン子器１のその他の構成について概説する。
【０１６５】
このドアホン子器１では、更に、発光素子７、撮像手段１０及び光センサー（明るさセンサー）１０をカメラブロックとし、カメラブロックにより、撮像手段１０の撮像アングルを変えることができるようにしている。
【０１６６】
以下、このカメラブロックの構成について、詳しく説明する。
【０１６７】
図１１は、ドアホン子器１をその正面側から見た状態を概略的に示す分解斜視図である。
【０１６８】
また、図１２は、ドアホン子器１をその背面側から見た状態を概略的に示す分解斜視図である。
【０１６９】
尚、図１１及び図１２の各々においては、カバー体４については、図示するのを省略する。
【０１７０】
また、図１１及び図１２の各々中、既に説明した部材装置については、説明を容易とするため、既に説明した部材装置に相当する部材装置については、相当する参照符号を付して、その説明を省略する。
【０１７１】
図１１及び図１２の各々中、１２で示す部材装置は、回動ユニットを、又、１３で示す部材装置は、角度調節レバーを、各々、示している。
【０１７２】
また、１７で示す部材は、インターホン親機（図示せず。）との通話等を制御する電子回路部品を実装する回路基板を示している。
【０１７３】
また、ｈ７は、発光素子７の取付孔を示している。
【０１７４】
発光素子７は、１個以上設けられる。尚、この例では、発光素子７を最大４個まで取り付けられるようになっている。
【０１７５】
回動ユニット１２は、回転軸１２ａ、１２ｂと、撮像手段３を嵌合わせる嵌合凹部１２ｃとを備える。
【０１７６】
角度調節レバー１３は、操作片１４と、支持軸１５と、ガイド湾曲部１６とを備える。
【０１７７】
ガイド湾曲部１６は、断面視した場合、円部材を切断した形状になっている。
【０１７８】
操作片１４は、ガイド湾曲部１６の凸面側の表面の中央部又は概ね中央部に立設するように設けられている。
【０１７９】
支持軸１５は、ガイド湾曲部１６の凹面側の表面の中央部又は概ね中央部に立設するように設けられている。
【０１８０】
支持軸１５は、二股にされた１対の脚部１５ａ、１５ａと、脚部１５ａと脚部１５ａとの接続部のやや上方に側方から突設するように設けられた回転軸１５ｂとを備える。
【０１８１】
脚部１５ａと脚部１５ａとの接続部は、半円形状の丸い凹部に形成されている。
【０１８２】
ドアホン子器１の子器本体ケース２は、正面カバー２ａとベース２ｂとの２部材を備える。
【０１８３】
正面カバー２ａには、開口部ｈ２や、押しボタン（図１に示す押しボタン５）を取り付ける取付穴ｈ３が設けられている。
【０１８４】
また、正面カバー２ａの内側には、図１２に示すように、撮像手段３を実装した回路基板８を回転可能に取り付ける取付枠体１１が形成されている。
【０１８５】
取付枠体１１は、回動ユニット１２の回転軸１２ａ、１２ｂの各々を回転可能に収容する、回転軸収容穴ｈ１１ａ、ｈ１１ｂを備える。
【０１８６】
また、取付枠体１１は、脚部１５ａと脚部１５ａとの接続部を支持する支持軸（図１４（ａ）に示す支持軸１１ｃ）を側方に有する立設部１１ａと、立設部１１ａから、支持軸１５の脚部１５ａ、１５ａの各々の厚さ分程度離れるようにして設けられ、支持軸１５の回転軸１５ｂを回転可能に収容する回転軸収容部１１ｂとを備える。
【０１８７】
回路基板８は、角度調節レバー１３の１対の脚部１５ａ、１５ａを挿通する挿通孔ｈ８を備える。
【０１８８】
また、ベース２ｂは、角度調節レバー１３の操作片１４を挿通する操作片挿通孔ｈ２ｂを備える。
【０１８９】
また、ベース２ｂの操作片挿通孔ｈ２ｂの周辺は、ガイド湾曲部１６の凸面側の表面側を収容できるように湾曲したガイド湾曲部収容部２ｃが設けられている。
【０１９０】
次に、ドアホン子器１の組立工程について説明する。
【０１９１】
まず、回路基板８に撮像手段３を実装する。
【０１９２】
次に、回動ユニット１２を、取付枠体１１に回転可能に取り付ける。
【０１９３】
より詳しく説明すると、回動ユニット１２の回転軸１２ａを回転軸収容穴ｈ１１ａに挿入し、回転軸１２ｂを回転軸収容穴ｈ１１ｂに挿入する。
【０１９４】
次に、取付枠体１１に回転可能に取り付けられた回動ユニット１２の嵌合凹部１２ｃに、回路基板８に実装された撮像手段３を嵌合する。
【０１９５】
次に、角度調節レバー１３の取付工程を説明する。
【０１９６】
図１３は、角度調節レバー１３の取付工程を概略的に説明する説明図である。
【０１９７】
尚、図１３（ａ）及び図１３（ｂ）の各図では、説明を容易とするために、回路基板８及び撮像手段３の図示は省略する。
【０１９８】
次に、角度調節レバー１３の支持軸１５を、回路基板８に設けられている挿通孔ｈ８を挿通させて、支持軸１５の脚部１５ａ、１５ａを立設部１１ａの支持軸１１ｃに取付け、支持軸１５の回転軸１５ｂを回転軸収容部１１ｂに取り付ける。
【０１９９】
次に、正面カバー２ａに、ベース２ｂを取り付ける。
【０２００】
この時、角度調節レバー１３の操作片１４が、操作片挿通孔ｈ２ｂを通じて、外部に突出するように、且つ、角度調節レバー１３のガイド湾曲部１６がガイド湾曲部収容部２ｃに回転可能に収容されるようにする。
【０２０１】
図１４は、以上のようにして組み立てられたドアホン子器１を、撮像手段３の回転機構を中心にして模式的に示す断面図である。
【０２０２】
このドアホン子器１では、回動ユニット１２の回転軸１２ａを取付枠体１１の回転軸収容穴ｈ１１ａに挿入し、回転軸１２ｂを回転軸収容穴ｈ１１ｂに挿入することで、回動ユニット１２が取付枠体１１に対して、回転軸１２ａ、１２ｂを軸にして回転するようにしている。
【０２０３】
また、角度調節レバー１３は、支持軸１５の回転軸１５ｂを軸にして回転する。
【０２０４】
この結果、角度調節レバー１３の操作片１４を、上方向（図１４中、白抜き矢印で示す方向）へ移動させると、撮像手段３の撮像アングルは、上方向（図１４中、白抜き矢印で示す方向）を向く。
【０２０５】
一方、角度調節レバー１３の操作片１４を、下方向（図１４中、黒矢印で示す方向）へ移動させると、撮像手段３の撮像アングルは、下方向（図１４中、黒矢印で示す方向）を向く。
【０２０６】
このように、このドアホン子器１では、角度調節レバー１３の操作片１４の移動方向と順方向に、撮像手段３の撮像アングルが移動するようにしているので、施工業者が、このドアホン子器１を住戸の扉周辺に取付けする際に、撮像手段３の撮像アングルを調節する際に、角度調節レバー１３の操作片１４の移動方向と逆方向に、撮像手段３の撮像アングルが移動するようにされているドアホン子器に比べ、撮像手段３の撮像アングルを調節がし易い。
【０２０７】
のみならず、このドアホン子器１では、カバー体４を、子器本体ケース２の上側面Ｓ２ｂの領域にも形成しているので、撮像手段３の撮像アングルを広角度に調節できるという長所もある。
【０２０８】
また、このドアホン子器１では、発光素子１０を、図３に示すように、撮像手段３の上方位置に設け、光センサー（明るさセンサー）１０を、撮像手段３の下方位置に設けている。
【０２０９】
この結果、撮像手段３の撮像アングルを上方向に向けた場合にも、カメラブロックにされた撮像手段３の上方位置に設けられた発光素子７から照射される光は、子器本体ケース２の上側面Ｓ２ｂに形成されているカバー体４を通して外方へ照射されるため、このドアホン子器１では、撮像手段３の撮像アングルを上方向に大きく向けるように調節することができる。
【０２１０】
また、光センサー（明るさセンサー）１０をカメラブロックにされた撮像手段３の下方位置に設けているので、撮像手段３の撮像アングルを上方向に大きく向けるように調節した場合であっても、光センサー（明るさセンサー）１０は、カバー体４の可視光透過部４ｂの領域に位置するようにできるため、光センサー（明るさセンサー）１０により、撮像手段３が必要とする露光量を、正確に検知できる。
【０２１１】
次に、このドアホン子器１を備えるテレビ付きインターホンシステムの構成について説明する。
【０２１２】
図１５は、ドアホン子器１を備えるテレビ付きインターホンシステムの構成を概略的に示す構成図であり、図１５（ａ）は、ハンズフリー型のインターホン親機を備えるテレビ付きインターホンシステムの構成図を、また、図１５（ｂ）は、ハンドセットを備えるインターホン親機を備えるテレビ付きインターホンシステムの構成図を、各々、例示的に示している。
【０２１３】
まず、図１５（ａ）に示す、ハンズフリー型のインターホン親機を備えるテレビ付きインターホンシステムについて説明する。
【０２１４】
このテレビ付きインターホンシステム３１は、ドアホン子器１とインターホン親機３２とを備える。
【０２１５】
ここでは、ドアホン子器１の構成は、図１及び図２に示したものと同様であるので、ここでは説明を容易とするため、図１及び図２に示したドアホン子器１を構成する部材装置に相当する部材装置については、相当する参照符号を付して、その説明を省略する。
【０２１６】
インターホン親機３２は、モニターテレビ３３と、集音マイク３４と、モニターボタン３５と、通話ボタン３６と、スピーカ（図示せず。）とを備える。
【０２１７】
尚、図１５（ａ）中、３７で示す部材装置は、通話ボタン３６がオンにされている際に点灯する通話確認ランプを示している。
【０２１８】
ドアホン子器１とインターホン親機３２とは、信号線Ｌで接続されている。
【０２１９】
次に、このテレビ付きインターホンシステム３１の動作について説明する。
【０２２０】
このテレビ付きインターホンシステム３１では、訪問客が、ドアホン子器１の呼出しボタン５を押し操作すると、住戸内に設けられるインターホン親機（図示せず。）の呼出装置が鳴動するとともに、ドアホン子器１の撮像手段３がオンとなり、住戸内に設けられるインターホン親機３２のモニターテレビ３３に、撮像手段３が撮像した映像が映し出されるようになっている。
【０２２１】
より詳しく説明すると、訪問客が、ドアホン子器１の呼出しボタン５を押し操作すると、光センサー（明るさセンサー）（図３に示す光センサー（明るさセンサー）１０）が、ドアホン子器１の周辺の明るさを検知する。
【０２２２】
光センサー（明るさセンサー）１０が検知した情報Ｄ１０は、制御装置（ＣＰＵ）（図示せず。）に送られる。制御装置（ＣＰＵ）（図示せず。）は、光センサー（明るさセンサー）１０が検知した情報Ｄ１０を、制御装置（ＣＰＵ）（図示せず。）に予め記憶されているしきい値Ｄｔｈと比較する。そして、制御装置（ＣＰＵ）（図示せず。）は、光センサー（明るさセンサー）１０が検知した情報Ｄ１０が、しきい値Ｄｔｈに比べ、暗いと判断した場合（Ｄ１０＜Ｄｔｈ）に、発光素子７を所定時間点灯し、光センサー（明るさセンサー）１０を点灯した状態で、撮像手段３が、訪問客を撮像する。
【０２２３】
また、光センサー（明るさセンサー）１０が検知した情報Ｄ１０が、しきい値Ｄｔｈに比べ、明るいと判断した場合（Ｄ１０≧Ｄｔｈ）には、発光素子７を点灯しない状態で、撮像手段３が、訪問客を撮像する。
【０２２４】
また、住戸人が、インターホン親機３２の通話ボタン３６を押し操作した後、インターホン親機３２に向かって、訪問客に対して応答すると、その音声が、インターホン親機３２に設けられている、集音マイク３４によって拾われるが、この集音マイク３４によって拾われた音声が、ドアホン子器１に設けられているスピーカ６から出力されるようになっている。
【０２２５】
また、訪問客が、来訪の旨を告げると、ドアホン子器１に設けられている集音マイク（図示せず。）が、この音声を拾い、この音声が、インターホン親機３２のスピーカ（図示せず）から出力されるようになっている。
【０２２６】
また、住戸人が、住戸の扉付近の様子を知りたいときには、インターホン親機３２に設けられているモニターボタン３５を押し操作すると、所定時間、ドアホン子器１に設けられている撮像手段３及びインターホン親機３２に設けられているモニターテレビ３３の各々が通電状態になり、撮像手段３が撮像した映像が、モニターテレビ３３に映し出されるようになっている。
【０２２７】
次に、図１５（ｂ）に示す、ハンズフリー型のインターホン親機を備えるテレビ付きインターホンシステムについて説明する。
【０２２８】
このテレビ付きインターホンシステム４１は、ドアホン子器１とインターホン親機４２とを備える。
【０２２９】
ここで、ドアホン子器１の構成は、図１及び図２に示したものと同様であるので、ここでは説明を容易とするため、図１及び図２に示したドアホン子器１を構成する部材装置に相当する部材装置については、相当する参照符号を付して、その説明を省略する。
【０２３０】
インターホン親機４２は、モニターテレビ４３と、スピーカ４８と、ハンドセット４９とを備える。
【０２３１】
尚、図１５（ｂ）中、５０で示す部材装置は、操作表示パネル部を示している。
【０２３２】
ドアホン子器１とインターホン親機４２とは、信号線Ｌで接続されている。
【０２３３】
次に、このテレビ付きインターホンシステム４１の動作について説明する。
【０２３４】
このテレビ付きインターホンシステム４１では、訪問客が、ドアホン子器１の呼出しボタン５を押し操作すると、住戸内に設けられるインターホン親機の呼出装置が鳴動するとともに、ドアホン子器１の撮像手段３がオンとなり、住戸内に設けられるインターホン親機４２のモニターテレビ４３に、撮像手段３が撮像した映像が、所定時間、映し出されるようになっている。
【０２３５】
より詳しく説明すると、訪問客が、ドアホン子器１の呼出しボタン５を押し操作すると、光センサー（明るさセンサー）（図３に示す光センサー（明るさセンサー）１０）が、ドアホン子器１の周辺の明るさを検知する。
【０２３６】
光センサー（明るさセンサー）１０が検知した情報Ｄ１０は、制御装置（ＣＰＵ）（図示せず。）に送られる。制御装置（ＣＰＵ）（図示せず。）は、光センサー（明るさセンサー）１０が検知した情報Ｄ１０を、制御装置（ＣＰＵ）（図示せず。）に予め記憶されているしきい値Ｄｔｈと比較する。そして、制御装置（ＣＰＵ）（図示せず。）は、光センサー（明るさセンサー）１０が検知した情報Ｄ１０が、しきい値Ｄｔｈに比べ、暗いと判断した場合（Ｄ１０＜Ｄｔｈ）に、発光素子７を所定時間点灯し、光センサー（明るさセンサー）１０を点灯した状態で、撮像手段３が、訪問客を撮像する。
【０２３７】
また、光センサー（明るさセンサー）１０が検知した情報Ｄ１０が、しきい値Ｄｔｈに比べ、明るいと判断した場合（Ｄ１０≧Ｄｔｈ）には、発光素子７を点灯しない状態で、撮像手段３が、訪問客を撮像する。
【０２３８】
また、住戸人が、ハンドセット４９を取り上げ（オフフックし）、ハンドセット４９に向かって、訪問客に対して応答すると、その音声が、ハンドセット４９の送話器（図示せず。）によって拾われ、この送話器（図示せず。）が拾った音声が、ドアホン子器１に設けられているスピーカ６から出力されるようになっている。
【０２３９】
また、訪問客が、来訪の旨を告げると、ドアホン子器１に設けられている集音マイク（図示せず。）が、この音声を拾い、この音声が、インターホン親機３２のスピーカ（図示せず）から出力されるようになっている。
【０２４０】
また、住戸人が、住戸の扉付近の様子を知りたいときには、インターホン親機４２のハンドセット４９を取り上げると（オフフックすると）、ドアホン子器１に設けられている撮像手段３及びインターホン親機４２に設けられているモニターテレビ４３の各々が通電状態になり、撮像手段３が撮像した映像が、モニターテレビ４３に、所定時間、映し出されるようになっている。
【０２４１】
尚、住戸人が、所定時間内に、インターホン親機４２のハンドセット４９を元に戻す（オンフックする）と、撮像手段３がオフし、モニターテレビ４３もオフするようにされている。
【０２４２】
上述したテレビ付きインターホンシステム３１、４１では、いずれも、ドアホン子器１に内蔵されている撮像手段３が広範囲の撮像視野を有するので、インターホン親機３２、４２のモニターテレビ３３、４３には、撮像手段３が撮像した映像が、訪問者の顔が欠けたりすることなく映し出される。
【０２４３】
この結果、住戸に、上述したテレビ付きテレビ付きインターホンシステム３１、４１を取り付けた場合には、住戸人は、訪問者の顔をはっきりと確認した後に、扉を解錠できるので、不審者を住戸内に入れるというゆゆしき事態を防ぐことができる。
【０２４４】
即ち、上述したテレビ付きテレビ付きインターホンシステム３１、４１は、いずれも、例えば、一人暮らしの若い女性などが入居する住戸の防犯対策用のインターホンシステムとして適している。
【０２４５】
【発明の効果】
以上、詳細に説明したように、請求項１に記載のカメラ付ドアホン子器用筐体では、カバー体の裏面に形成した、枠形状のリブの上面の接合面と、子器本体ケースの開口部の周辺に設けられている枠形状のリブ受けの接合面とを当接可能な関係にし、且つ、カバー体の裏面に形成した、枠形状のリブの上面の接合面と、子器本体ケースの開口部の周辺に設けられている枠形状のリブ受けの接合面とを溶着しているので、カバー体が、上側面部と正面部とを備え、断面視した場合、概ねＬ字形状をしており、子器本体ケースに、開口部が、その正面から上側面の領域に設けられている場合であっても、カバー体を、子器本体ケースに、隙間なく、溶着することができる。この結果、このカメラ付ドアホン子器用筐体は、カバー体と、子器本体ケースとの溶着部から、その内部に雨水等が侵入することがないため、優れた防水機能を発揮する。のみならず、このカメラ付ドアホン子器用筐体では、カバー体を、子器本体ケースに、子器本体ケースの開口部の周辺に設けられたリブ受けの接合面と、カバー体の上側面部、上側面部から正面部をまたぐ位置に設けられた、枠形状のリブの上面の接合面とを溶着することによって、取り付けているので、カメラ付ドアホン子器用筐体に内蔵される撮像手段の視野角を、カバー体の正面部から上側面部の方向へも調節可能なようにした場合にも、撮像手段によって撮影される映像が、カバー体の正面部から上側面部に移行するコーナ部において、途切れることがない。従って、カメラ付ドアホン子器筐体を用いたカメラ付ドアホン子器は、広範囲の映像を撮像できる。
【０２４６】
請求項２に記載のカメラ付ドアホン子器用筐体では、カバー体の裏面に設けられた枠形状のリブの上面の接合面を、ある平面上に位置するように形成し、子器本体ケースの開口部の周辺に設けられるリブ受けの接合面を、カバー体の裏面に設けられた枠形状のリブの上面の接合面が位置している、ある平面と等価な方向の平面上に位置するように形成しているので、カバー体の裏面に設けられた枠形状のリブの上面の接合面と、子器本体ケースの開口部の周辺に設けられるリブ受けの接合面とを、当接させることができる。従って、カバー体の裏面に設けられた枠形状のリブの上面の接合面と、カバー体の裏面に設けられた枠形状のリブの上面の接合面とを当接させた状態にして、超音波の振動を加えることで、カバー体の裏面に設けられた枠形状のリブの上面の接合面と、子器本体ケースの開口部の周辺に設けられるリブ受けの接合面とを、隙間無く、溶着することができる。且つ、このカメラ付ドアホン子器用筐体では、子器本体ケースの開口部の周辺に設けられるリブ受けの接合面及び子器本体ケースの開口部の周辺に設けられるリブ受けの接合面を平面上に形成しているので、カバー体の裏面に設けられた枠形状のリブの形状、及び、子器本体ケースの開口部の周辺に設けられるリブ受けの形状の設計を容易に行うことができる。
【０２４７】
請求項３に記載のカメラ付ドアホン子器用筐体では、カバー体の裏面に設けられた枠形状のリブの上面の接合面を、ある曲面上に位置するように形成し、子器本体ケースの開口部の周辺に設けられるリブ受けの接合面を、カバー体の裏面に設けられた枠形状のリブの上面の接合面が位置している、ある曲面に対応する曲面上に位置するように形成しているので、カバー体の裏面に設けられた枠形状のリブの上面の接合面と、子器本体ケースの開口部の周辺に設けられるリブ受けの接合面とを、当接させることができる。のみならず、カバー体の裏面に設けられた枠形状のリブの上面の接合面と、子器本体ケースの開口部の周辺に設けられるリブ受けの接合面とを、当接させると、カバー体の裏面に設けられた枠形状のリブの上面の接合面と、子器本体ケースの開口部の周辺に設けられるリブ受けの接合面とが、嵌合した状態になる。従って、カバー体の裏面に設けられた枠形状のリブの上面の接合面と、カバー体の裏面に設けられた枠形状のリブの上面の接合面とを当接させた状態にして、超音波の振動を加えることで、カバー体の裏面に設けられた枠形状のリブの上面の接合面と、子器本体ケースの開口部の周辺に設けられるリブ受けの接合面とを、ずれが生じることなく、且つ、隙間無く、溶着することができる。
【０２４８】
請求項４に記載のカメラ付ドアホン子器用筐体では、カバー体の裏面に設けられた枠形状のリブの接合面と、子器本体ケースの開口部の周辺に設けられている枠形状のリブ受けの接合面とを、一方向に、当接可能な形状にしているので、カバー体が、断面視した場合、概ねＬ字形状をしており、子器本体ケースに設けられる開口部が、子器本体ケースの正面から上側面にかけて設けられている場合であっても、子器本体ケースの開口部の周辺の全周にわたって、カバー体を、隙間無く、超音波溶着法によって、溶着することができる。
【０２４９】
請求項５に記載のカメラ付ドアホン子器では、筐体として、請求項１〜４のいずれかに記載のカメラ付ドアホン子器用筐体を用いているので、カメラ付ドアホン子器用筐体に内蔵される撮像手段の視野角を、カバー体の正面部から上側面部の方向へも調節可能なようにした場合にも、撮像手段によって撮影される映像が、カバー体の正面部から上側面部に移行するコーナ部において、途切れることがない。従って、このカメラ付ドアホン子器は、広範囲の映像を撮像できる。
【０２５０】
請求項６に記載のドアホン子器では、カバー体は、子器本体ケースの正面からその上面側面部に移行するコーナ部の内表面側に、撮像手段が撮像する映像に線模様が形成されるのを防止するための緩やかな曲面を設けているので、撮像手段が、このコーナ部を通して撮像した映像に、線模様が形成されない。この結果、このドアホン子器をインターホン親機に接続し、インターホン親機のモニターテレビに、このドアホン子器に内蔵した撮像手段が撮像した映像を映し出した場合に、モニターテレビに映し出される映像に、線模様が現れず、来訪者の顔などが、つぶれたりすることなく、はっきり判るように映し出される。
【０２５１】
請求項７に記載のドアホン子器では、ドアホン子器に内蔵される発光素子をスモーク部により外側から見えないようにしているので、美観に優れている。のみならず、スモーク部と可視光透過部とを一体成形しているので、カバー体の各々に、スモークシートを貼着するようにした場合に比べ、ドアホン子器の組立作業者の組立作業を、カバー体の各々に、スモークシートを貼着しなくてよいようにした分、軽減できる。
【０２５２】
請求項８に記載のテレビ付きインターホンシステムでは、ドアホン子器に内蔵されている撮像手段が広範囲の撮像視野を有する、請求項１〜７のいずれかに記載のドアホン子器を用いているので、インターホン親機のモニターテレビには、撮像手段が撮像した映像が、訪問者の顔が欠けたりすることなく映し出される。この結果、住戸に、このテレビ付きインターホンシステムを取り付けた場合には、住戸人は、訪問者の顔をはっきりと確認した後に、扉を解錠できるので、不審者を住戸内に入れるというゆゆしき事態を防ぐことができる。
【０２５３】
即ち、このテレビ付きインターホンシステムは、例えば、一人暮らしの若い女性などが入居する住戸の防犯対策用のインターホンシステムとして適している。
【図面の簡単な説明】
【図１】本発明に係るドアホン子器の要部を概略的に示す分解斜視図である。
【図２】本発明に係るドアホン子器を概略的に示す図であり、図２（ａ）は、本発明に係るドアホン子器を概略的に示す斜視図であり、また、図２（ｂ）は、本発明に係るドアホン子器の要部を説明するために、カバー体を、子器本体ケースから分離した状態で示す分解斜視図である。
【図３】図１に示すドアホン子器を概略的に示す断面図である。尚、図３では、カバー体を、子器本体ケースから分離した状態にしている。
【図４】カバー体を概略的に示す図であり、図４（ａ）は、カバー体４の好ましい形状の一例を概略的に示す説明図であり、また、図４（ｂ）は、カバー体４の好ましい形状の他の一例を概略的に示す説明図である。
【図５】図１に示すドアホン子器で用いられているカバー体を概略的に示す図であり、図５（ａ）は、カバー体の好ましい形状を概略的に示す断面図であり、また、図５（ｂ）は、カバー体のあまり好ましいとは言えない形状を概略的に示す断面図である。
【図６】図１に示すドアホン子器で用いられているカバー体の構成の一例を模式的に示す構成図である。
【図７】図１に示すドアホン子器で用いられているカバー体の構成の他の一例を模式的に示す断面図である。
【図８】図１に示すドアホン子器で用いられているカバー体の製造方法の好ましい一例を概略的に示す工程図である。
【図９】図１に示すドアホン子器で用いられているカバー体の製造方法のあまり好ましいとは言えない一例を概略的に示す工程図である。
【図１０】図１に示すドアホン子器で用いられているカバー体の製造方法の更に好ましい一例を概略的に示す説明図であり、図１０（ａ）は、カバー体の概略的な正面図を、図１０（ｂ）は、図１０（ｂ）中、Ｘ−Ｘ線に従う概略的な断面図を、図１０（ｃ）は、カバー体の概略的な背面図を、また、図１０（ｄ）は、図１０（ｂ）中、Ｘ−Ｘ線に従う概略的な断面図を、各々、示している。
【図１１】図１に示すドアホン子器をその正面側から見た状態を概略的に示す分解斜視図である。
【図１２】図１に示すドアホン子器をその背面側から見た状態を概略的に示す分解斜視図である。
【図１３】角度調節レバーの取付工程を概略的に説明する説明図である。
【図１４】図１に示すドアホン子器を、撮像手段の回転機構を中心にして模式的に示す断面図である。
【図１５】本発明に係るテレビ付きインターホンシステムの構成を概略的に示す構成図であり、図１５（ａ）は、ハンズフリー型のインターホン親機を備えるテレビ付きインターホンシステムの構成図を、また、図１５（ｂ）は、ハンドセットを備えるインターホン親機を備えるテレビ付きインターホンシステムの構成図を、各々、例示的に示している。
【図１６】従来のテレビ付きインターホンシステムにおいて採用されているドアホン子器を概略的に示す図であり、図１６（ａ）は、その斜視図を、また、図１６（ｂ）は、その分解斜視図である。
【図１７】ドアホン子器に内蔵される撮像手段の視野角を広くするようにしたドアホン子器のアイデアを概略的に示す斜視図である。
【符号の説明】
１  ドアホン子器
２  子器本体ケース
３  撮像手段
４、４Ａ、４Ｂ、４Ｃ  カバー体
４ａ  スモーク部
４ｂ  可視光透過部
５  呼出しボタン
６  スピーカ
７  発光素子
８  回路基板
１０  光センサー（明るさセンサー）
３１、４１  テレビ付きインターホンシステム
３２、４２  インターホン親機
ｆ１、ｆ２、ｆ３、ｆ４  リブの辺
ｊ１、ｊ２、ｊ３、ｊ４、ｊ５、ｊ６、ｊ７、ｊ８、ｊ１１、ｊ１２  接合面
ｈ２  子器本体ケースに設けられた開口部
ｐ４ａ  カバー体の上側面部
ｐ４ｂ  カバー体の正面部
Ｒ４  リブ
Ｊ２  リブ受け
Ｓ２ａ  子器本体ケースの正面
Ｓ２ｂ  子器本体ケースの上側面
【図１】
0003578040.tif 000002
【図２】
0003578040.tif 000003
【図３】
0003578040.tif 000004
【図４】
0003578040.tif 000005
【図５】
0003578040.tif 000006
【図６】
0003578040.tif 000007
【図７】
0003578040.tif 000008
【図８】
0003578040.tif 000009
【図９】
0003578040.tif 000010
【図１０】
0003578040.tif 000011
【図１１】
0003578040.tif 000012
【図１２】
0003578040.tif 000013
【図１３】
0003578040.tif 000014
【図１４】
0003578040.tif 000015
【図１５】
0003578040.tif 000016
【図１６】
0003578040.tif 000017
【図１７】
0003578040.tif 000018